(57)【特許請求の範囲】
【請求項１】
ポットバーナー内で燃油を燃焼させる暖房装置であって、
前記ポットバーナーへ燃油を供給する燃油供給部と、
前記ポットバーナーへ空気を供給する空気供給部と、
前記ポットバーナーにおける点火を行うヒータと、
室温を検出する室温検出部と、
前記室温及び設定温度に基づいて前記燃油供給部及び前記空気供給部を制御することによって、前記ポットバーナーにおける火力を変更する制御部と、
前記ポットバーナーの温度であるポットバーナー温度を検出するポットバーナー温度検出部と、
を備え、
前記制御部は、
前記室温及び前記設定温度に基づいて火力を燃油の燃焼の安定性に基づいて決められた最小火力以上に設定する制御と、
前記最小火力以上の火力と前記最小火力未満の火力とを繰り返す制御と、
を有し、
前記最小火力以上の火力と前記最小火力未満の火力とを繰り返す制御の実行中において、前記ポットバーナー温度が所定温度以下となる場合に、前記最小火力未満の火力での運転を禁止するとともに、前記最小火力以上の火力の実行中に検出された前記ポットバーナー温度が小さいほど、次の前記最小火力未満の火力の継続時間が短くなるように、当該最小火力未満の火力の継続時間を設定する
ことを特徴とする暖房装置。
【請求項２】
前記ポットバーナー内の火炎の電流を検知するフレームロッドを備え、
前記制御部は、前記最小火力以上の火力と前記最小火力未満の火力とを繰り返す制御の実行中において、前記フレームロッドの電流が所定電流以下となる場合、又は、前記フレームロッドの電流による電圧であるフレームロッド電圧が所定電圧以下となる場合に、前記最小火力未満の火力での運転を禁止する
ことを特徴とする請求項１に記載の暖房装置。
【請求項３】
前記制御部は、前記最小火力以上の火力と前記最小火力未満の火力とを繰り返す制御の実行中において、前記最小火力以上の火力の実行中に検出された前記フレームロッドの電流又は前記フレームロッド電圧が小さいほど、次の前記最小火力未満の火力の継続時間が短くなるように、当該最小火力未満の火力の継続時間を設定する
ことを特徴とする請求項２に記載の暖房装置。
【請求項４】
ポットバーナー内で燃油を燃焼させる暖房装置であって、
前記ポットバーナーへ燃油を供給する燃油供給部と、
前記ポットバーナーへ空気を供給する空気供給部と、
前記ポットバーナーにおける点火を行うヒータと、
室温を検出する室温検出部と、
前記室温及び設定温度に基づいて前記燃油供給部及び前記空気供給部を制御することによって、前記ポットバーナーにおける火力を変更する制御部と、
前記ポットバーナー内の火炎の電流を検知するフレームロッドと、
を備え、
前記制御部は、
前記室温及び前記設定温度に基づいて火力を燃油の燃焼の安定性に基づいて決められた最小火力以上に設定する制御と、
前記最小火力以上の火力と前記最小火力未満の火力とを繰り返す制御と、
を有し、
前記最小火力以上の火力と前記最小火力未満の火力とを繰り返す制御の実行中において、前記フレームロッドの電流が所定電流以下となる場合、又は、前記フレームロッドの電流による電圧であるフレームロッド電圧が所定電圧以下となる場合に、前記最小火力未満の火力での運転を禁止するとともに、前記最小火力以上の火力の実行中に検出された前記フレームロッドの電流又は前記フレームロッド電圧が小さいほど、次の前記最小火力未満の火力の継続時間が短くなるように、当該最小火力未満の火力の継続時間を設定する
ことを特徴とする暖房装置。
【請求項５】
室内のＣＯ2濃度を検出するＣＯ2濃度検出部を備え、
前記制御部は、前記ＣＯ2濃度が所定濃度以上である場合に、前記最小火力未満の火力での運転を禁止する
ことを特徴とする請求項１から請求項４のいずれか一項に記載の暖房装置。
【発明の詳細な説明】
【技術分野】
【０００１】
本発明は、暖房装置に関する。
【背景技術】
【０００２】
従来の暖房装置において、室温と設定温度との差に基づいて適切な火力を選択する自動火力運転が行われている（特許文献１参照）。かかる自動火力運転では、燃油の燃焼の安定性等に基づいて、最小火力が予め決められている。
【先行技術文献】
【特許文献】
【０００３】
【特許文献１】特開２００９−１９２１９０号公報
【発明の概要】
【発明が解決しようとする課題】
【０００４】
春先又は秋口の比較的暖かい時期や、暖房装置が使用されている部屋が小さい場合等には、最小火力が選択されていたとしても、暖房装置の出力が部屋の放熱よりも大きい状態が続き、室温が上昇し続ける場合がある。この場合には、部屋が必要以上に暖まるため、室内のユーザに不快感を与えてしまう。
【０００５】
この対策としては、室温が設定温度よりも一定温度以上となった場合に、暖房装置が一時消火する手法が採られている。しかし、かかる手法では、一時消火中に輻射及び温風が無くなるため、ユーザに寒さを感じさせたり、運転停止回数の増加によって暖房装置内の各種部品の寿命が短くなるおそれがある。
【０００６】
本発明は、前記の点に鑑みてなされたものであり、より小さい火力での運転が可能な暖房装置を提供することを課題とする。
【課題を解決するための手段】
【０００７】
前記した課題を解決するため、本発明の暖房装置は、ポットバーナー内で燃油を燃焼させる暖房装置であって、前記ポットバーナーへ燃油を供給する燃油供給部と、前記ポットバーナーへ空気を供給する空気供給部と、前記ポットバーナーにおける点火を行うヒータと、室温を検出する室温検出部と、前記室温及び設定温度に基づいて前記燃油供給部及び前記空気供給部を制御することによって、前記ポットバーナーにおける火力を変更する制御部と、前記ポットバーナーの温度であるポットバーナー温度を検出するポットバーナー温度検出部と、を備え、前記制御部は、前記室温及び前記設定温度に基づいて火力を燃油の燃焼の安定性に基づいて決められた最小火力以上に設定する制御と、前記最小火力以上の火力と前記最小火力未満の火力とを繰り返す制御と、を有し、前記最小火力以上の火力と前記最小火力未満の火力とを繰り返す制御の実行中において、前記ポットバーナー温度が所定温度以下となる場合に、前記最小火力未満の火力での運転を禁止するとともに、前記最小火力以上の火力の実行中に検出された前記ポットバーナー温度が小さいほど、次の前記最小火力未満の火力の継続時間が短くなるように、当該最小火力未満の火力の継続時間を設定することを特徴とする。
また、本発明の暖房装置は、ポットバーナー内で燃油を燃焼させる暖房装置であって、前記ポットバーナーへ燃油を供給する燃油供給部と、前記ポットバーナーへ空気を供給する空気供給部と、前記ポットバーナーにおける点火を行うヒータと、室温を検出する室温検出部と、前記室温及び設定温度に基づいて前記燃油供給部及び前記空気供給部を制御することによって、前記ポットバーナーにおける火力を変更する制御部と、前記ポットバーナー内の火炎の電流を検知するフレームロッドと、を備え、前記制御部は、前記室温及び前記設定温度に基づいて火力を燃油の燃焼の安定性に基づいて決められた最小火力以上に設定する制御と、前記最小火力以上の火力と前記最小火力未満の火力とを繰り返す制御と、を有し、前記最小火力以上の火力と前記最小火力未満の火力とを繰り返す制御の実行中において、前記フレームロッドの電流が所定電流以下となる場合、又は、前記フレームロッドの電流による電圧であるフレームロッド電圧が所定電圧以下となる場合に、前記最小火力未満の火力での運転を禁止するとともに、前記最小火力以上の火力の実行中に検出された前記フレームロッドの電流又は前記フレームロッド電圧が小さいほど、次の前記最小火力未満の火力の継続時間が短くなるように、当該最小火力未満の火力の継続時間を設定することを特徴とする。
【発明の効果】
【０００８】
本発明によると、暖房装置において、より小さい火力での運転が可能となる。
【図面の簡単な説明】
【０００９】
【図１】本発明の実施形態に係る暖房装置のポット式燃焼器を模式的に示す図である。
【図２】本発明の実施形態に係る暖房装置を示す機能ブロック図である。
【図３】室温と設定温度の差と、燃焼火力と、の関係の例を示すグラフである。
【図４】本発明の実施形態に係る暖房装置の第一の動作例を示すグラフであって、（ａ）は室温の経時変化を示すグラフ、（ｂ）は燃焼火力の経時変化を示すグラフである。
【図５】本発明の実施形態に係る暖房装置の第二の動作例を説明するためのフローチャートである。
【図６】本発明の実施形態に係る暖房装置の第二の動作例を説明するためのフローチャートである。
【図７】本発明の実施形態に係る暖房装置の第二の動作例を説明するためのフローチャートである。
【発明を実施するための形態】
【００１０】
本発明の実施形態について、図面を参照して詳細に説明する。以下の説明において、同一の要素には同一の符号を付し、重複する説明を省略する。
【００１１】
＜暖房装置＞
図１に示すように、本発明の実施形態に係る暖房装置１は、いわゆるポットバーナー式であり、寒冷地仕様の石油ストーブである。暖房装置１は、ポット式燃焼器２と、図示しない燃焼筒及び熱交換器と、を備える。
【００１２】
ポット式燃焼器２は、後記するポットバーナー１１内において燃油（例えば、灯油）を燃焼させることによって燃焼ガスを発生する。燃焼筒は、ポット式燃焼器２において発生した燃焼ガスで赤熱されることによって、放射暖房を行う。熱交換器は、燃焼筒から排気されたガスと居室の空気との熱交換を行う。
【００１３】
＜ポット式燃焼器＞
ポット式燃焼器２は、燃焼部１０と、燃油供給部２０と、空気供給部３０と、ヒータ４０と、を備える。
【００１４】
＜燃焼部＞
燃焼部１０は、燃油が燃焼することによって、暖房装置１の熱源となる部位である。燃焼部１０は、ポットバーナー１１と、外筒１２と、気化アミ１３と、整炎筒１４と、を備える。
【００１５】
≪ポットバーナー≫
ポットバーナー１１は、有底筒状（本実施形態では、有底円筒形状）を呈する金属製部材である。ポットバーナー１１内には、燃油供給部２０及び空気供給部３０によって燃油及び空気が供給され、ポットバーナー１１内に供給された燃油は、当該ポットバーナー１１内において燃焼する。ポットバーナー１１の周壁部には、複数の空気孔１１ａが形成されている。
【００１６】
≪外筒≫
外筒１２は、ポットバーナー１１よりも大径で高さも大きい有底筒状（本実施形態では、有底円筒形状）を呈する金属製部材である。外筒１２内には、ポットバーナー１１が所定高さに浮いた状態で収容されている。外筒１２とポットバーナー１１との間、すなわち、ポットバーナー１１の底壁部の下方及び周壁部の外方には、空気室１０ａが構成されている。
【００１７】
≪気化アミ≫
気化アミ１３は、ポットバーナー１１の底壁部上面の中央部に設けられている金属製部材である。気化アミ１３は、耐熱性のステンレス細線を畳織することによって形成されている。気化アミ１３は、当該気化アミ１３に向かって噴射された燃油に対して、毛細管現象を発生する。
【００１８】
≪整炎筒≫
整炎筒１４は、ポットバーナー１４内の高さ方向中央部に設けられている金属製部材である。整炎筒１４は、気化ガス（気化した燃油）と空気との混合を促進する機能を有する。
【００１９】
＜燃油供給部＞
燃油供給部２０は、燃焼部１０のポットバーナー１１内に燃油を供給する機構である。燃油供給部２０は、オイルレべラ２１と、供給パイプ２２と、噴射パイプ２３と、保護筒２４と、供給ポンプ２５と、吸引ポンプ２６と、を備える。
【００２０】
≪オイルレベラ≫
オイルレベラ２１は、燃焼部１０のポットバーナー１１へ供給される燃油が一時的に貯留されるリザーバである。オイルレベラ２１には、図示しない燃油タンクから燃油が供給される。また、オイルレベラ２１内において、燃油の油面は、一定に保持される。
【００２１】
≪供給パイプ≫
供給パイプ２２は、オイルレベラ２１内の燃油を燃焼部１０のポットバーナー１１へ供給するためのパイプである。
【００２２】
≪噴射パイプ≫
噴射パイプ２３は、供給パイプ２２の先端部（ポットバーナー１１側端部）に取り付けられている、供給パイプ２２よりも細径のパイプである。噴射パイプ２３は、ポットバーナー１１に向かうにつれて下り傾斜となるように設けられている。噴射パイプ２３の先端部は、当該先端部から噴射された燃油が気化アミ１３に向かうように、ポットバーナー１１内に設けられている。噴射パイプ２３の大部分は、保護筒２４内に収容されており、噴射パイプ２３の先端部は、保護筒２４から突出している。
【００２３】
≪保護筒≫
保護筒２４は、噴射パイプ２４を保護するための筒状部材である。保護筒２４は、外筒１２の側壁部とポットバーナー１１の側壁部との間に架設されている。
【００２４】
≪供給ポンプ≫
供給ポンプ２５は、供給パイプ２２に設けられている電磁ポンプである。供給ポンプ２５は、オイルレベラ２１内の燃油を汲み上げ、組み上げられた燃油を供給パイプ２２及び噴射パイプ２３を介してポットバーナー１１内へ供給する。
【００２５】
≪吸引ポンプ２６≫
吸引ポンプ２６は、供給パイプ２２の供給ポンプ２５よりも下流側とオイルレベラ２１との間に設けられている電磁ポンプである。吸引ポンプ２６は、消火時において、供給パイプ２２及び噴射パイプ２３に残留した燃油を吸引し、吸引された燃油をオイルレベラ２１へ戻す。
【００２６】
＜空気供給部＞
空気供給部３０は、空気室１０ａ及び空気孔１１ａを介してポットバーナー内へ空気を供給するファンである。
【００２７】
＜ヒータ＞
ヒータ４０は、ポットバーナー１１の周壁部から気化アミ１３の上方へ向かって突設されている棒状のセラミックヒータである。ヒータ４０は、ポットバーナー１１内に供給された燃油を予熱して気化させる機能と、気化した燃油に点火する機能と、を有する。
【００２８】
＜操作部、各種検出部及び制御部＞
図２に示すように、暖房装置１は、操作部５０と、室温検出部６１と、ポットバーナー温度検出部６２と、フレームロッド６３と、ＣＯ２濃度検出部６４と、回転速度検出部６５と、制御部７０と、を備える。
【００２９】
＜操作部＞
操作部５０は、暖房装置１の利用者によって操作されるスイッチ、ボタン、タッチパネル等である。操作部５０は、暖房装置１の正面部又は上面部に設けられている。操作部５０は、運転操作部５１と、運転モード操作部５２と、火力操作部５３と、設定温度操作部５４と、を備える。
【００３０】
≪運転操作部≫
運転操作部５１は、暖房装置１の運転状態「入」「切」を切り換えるためのスイッチである。運転操作部５１の操作結果は、制御部７０へ出力される。
【００３１】
≪運転モード操作部≫
運転モード操作部５２は、暖房装置１の運転モード「火力手動設定運転モード」「セーブ運転モード」を切り換えるためのボタンである。運転モード操作部５２の操作結果は、制御部７０へ出力される。
【００３２】
≪火力操作部５３≫
火力操作部５３は、火力手動設定運転モードにおける暖房装置１の燃焼火力を１灯（最小火力）〜６灯（最大火力）のいずれかに設定するためのボタンである。本実施形態に係る暖房装置１は、寒冷地仕様のポットバーナー式であるため、その最小火力である１灯の燃焼火力は、通常のストーブと比較して大きい。火力操作部５３の操作結果は、制御部７０へ出力される。
【００３３】
≪設定温度操作部≫
設定温度操作部５４は、セーブ運転モードにおける暖房装置１の設定温度を設定するためのボタンである。設定温度操作部５４の操作結果は、制御部７０へ出力される。
【００３４】
≪室温検出部≫
室温検出部６１は、暖房装置１が設けられた暖房対象の室内の温度（室温）を検出する温度センサである。本実施形態において、室温検出部６１は、暖房装置１のうち、ポット式燃焼器１等の影響を極力受けずに室温を検出可能な部位（例えば、暖房装置１の背面部）に設けられているサーミスタである。検出された室温は、制御部７０へ出力される。
【００３５】
≪ポットバーナー温度検出部≫
ポットバーナー温度検出部６２は、ポットバーナー１１の温度を検出する温度センサである。本実施形態において、ポットバーナー温度検出部６２は、ポットバーナー１１の底壁部下面に取り付けられているサーミスタであり、ポットバーナー１１の底壁部の温度を検出する（図１参照）。ポットバーナー温度が小さい場合には、ポットバーナー１１内の燃焼火炎が不安定になるおそれがある。検出されたポットバーナー温度は、制御部７０へ出力される。
【００３６】
≪フレームロッド≫
フレームロッド６３は、火炎に発生する微弱電流を検知する火炎検知器である。フレームロッド６３は、金属製の棒状部材であり、燃焼時の燃焼火炎内に位置するように、ポットバーナー１１内に垂設されている（図１参照）。微弱電流が小さい（換言すると、フレームロッド電圧が小さい）場合には、ポットバーナー１１内の燃焼火炎が不安定になるおそれがある。検知された微弱電流は、制御部７０へ出力される。
【００３７】
≪ＣＯ２濃度検出部≫
ＣＯ２濃度検出部６４は、暖房装置１が設けられた暖房対象の室内のＣＯ２濃度を検出するＣＯ２センサである。検出されたＣＯ２濃度は、制御部７０へ出力される。
【００３８】
≪回転速度検出部≫
回転速度検出部６５は、空気供給部３０の回転速度を検出するセンサである。検出された回転速度は、制御部７０へ出力される。
【００３９】
＜制御部＞
制御部７０は、ＣＰＵ（Central Processing Unit）、ＲＯＭ（Read-Only Memory）、ＲＡＭ（Random Access Memory）、入出力回路等によって構成されている。制御部７０は、操作部５０の操作結果、並びに、室温検出部６１、ポットバーナー温度検出部６２、フレームロッド６３、ＣＯ２濃度検出部６４及び回転速度検出部６５の検出結果に基づいて、供給ポンプ２５、吸引ポンプ２６、空気供給部３０及びヒータ４０を制御する。制御部７０は、フレームロッド６３から出力された電流に基づいて、当該電流によるフレームロッド電圧を検出し、検出されたフレームロッド電圧を各種制御に用いる。
【００４０】
運転操作部５１が「入」に操作された場合には、制御部７０は、供給ポンプ２５、空気供給部３０及びヒータ４０を駆動させることによって、ポットバーナー１１内において燃油を燃焼させる。
【００４１】
一方、運転操作部５１が「切」に操作された場合には、制御部７０は、供給ポンプ２５、空気供給部３０及びヒータ３０を停止させることによって、ポットバーナー１１内における燃油の燃焼を消火する。ここで、制御部７０は、吸引ポンプ２６を一定時間駆動させることによって、供給パイプ２２及び噴射パイプ２３に残留した燃油を吸引し、吸引された燃油をオイルレベラ２１へ戻す。
【００４２】
≪火力手動設定運転モード≫
また、運転操作部５１が「入」に操作されるとともに運転モード操作部５２が「火力手動設定運転モード」に操作された状態において、制御部７０は、火力操作部５３によって設定された燃焼火力に基づいて、供給ポンプ２５及び空気供給部３０を制御し、ポットバーナー１１における燃焼火力を設定された燃料火力に合わせる。また、制御部７０は、回転速度検出部６５の検出結果に基づいて空気供給部３０をフィードバック制御する。
【００４３】
≪セーブ運転モード≫
また、運転操作部５１が「入」に操作されるとともに運転モード操作部５４が「セーブ運転モード」に操作された状態において、制御部７０は、設定温度操作部５４によって設定された設定温度と、室温検出部６１によって検出された室温と、に基づいて、供給ポンプ２５及び空気供給部３０を制御し、ポットバーナー１１における燃焼火力を自動的に変更する。すなわち、制御部７０は、設定温度及び室温に基づいて、供給ポンプ２５及び空気供給部３０の目標駆動量を設定し、設定された目標駆動量に基づいて供給ポンプ２５及び空気供給部３０を制御する。かかるセーブ運転モードは、火力自動設定運転モードである。また、制御部７０は、回転速度検出部６５の検出結果に基づいて空気供給部３０をフィードバック制御する。
【００４４】
図３に示すように、セーブ運転モードにおいて、制御部７０は、室温と設定温度との差（［室温］−［設定温度］）が大きいほど燃焼火力が小さくなるように、供給ポンプ２５及び空気供給部３０を制御する。
【００４５】
本実施形態において、制御部７０は、燃焼火力を６灯（最大火力）から１灯（通常の最小火力）までの６段階に制御する。６灯〜１灯までの燃焼火力の段階的な減少量は、それぞれ同じ量に設定されている。
【００４６】
［室温］−［設定温度］が第一の温度差閾値（例えば、−３（℃））未満である場合には、制御部７０は、燃焼火力が６灯（最大火力）となるように、供給ポンプ２５及び空気供給部３０を制御する。
［室温］−［設定温度］が第一の温度差閾値（例えば、−３（℃）以上）、第二の温度差閾値（例えば、−１（℃））未満である場合には、制御部７０は、燃焼火力が５灯となるように、供給ポンプ２５及び空気供給部３０を制御する。
［室温］−［設定温度］が第二の温度差閾値（例えば、−１（℃））以上、第三の温度差閾値（例えば、０（℃）未満）である場合には、制御部７０は、燃焼火力が４灯となるように、供給ポンプ２５及び空気供給部３０を制御する。
［室温］−［設定温度］が第三の温度差閾値（例えば、０（℃））以上、第四の温度差閾値（例えば、０．５（℃））未満である場合には、制御部７０は、燃焼火力が３灯となるように、供給ポンプ２５及び空気供給部３０を制御する。
［室温］−［設定温度］が第四の温度差閾値（例えば、０．５（℃））以上、第五の温度差閾値（例えば、１（℃））未満である場合には、制御部７０は、燃焼火力が２灯となるように、供給ポンプ２５及び空気供給部３０を制御する。
［室温］−［設定温度］が第五の温度差閾値（例えば、１（℃））以上、第六の温度差閾値（例えば、３（℃））未満である場合には、制御部７０は、燃焼火力が１灯となるように、供給ポンプ２５及び空気供給部３０を制御する。
［室温］−［設定温度］が第六の温度差閾値（例えば、３（℃））以上である場合には、制御部７０は、一時消火（燃焼火力がゼロ）となるように、供給ポンプ２５及び空気供給部３０を停止させる。
【００４７】
本実施形態において、制御部７０は、燃焼火力が通常の最小火力である１灯よりも小さい弱灯となるように、供給ポンプ２５及び空気供給部３０を制御する。弱灯は、１灯の所定割合（例えば、８０％）であって、長時間継続されると燃油の燃焼が不安定となる燃焼火力である。そのため、制御部７０は、弱灯運転の連続時間は所定時間（例えば、１０分間）までとし、弱灯と１灯〜６灯のいずれかとを繰り返すことによって、より小さい燃焼火力を実現する。かかる弱灯運転は、手動で燃焼火力が設定される火力手動設定運転モードにおいては設定不可（禁止）となっている。
【００４８】
なお、変形例として、［室温］−［設定温度］が第七の温度差閾値（例えば、２（℃））以上、第六の温度差閾値（例えば、３（℃））未満である場合には、制御部７０は、燃焼火力が１灯と弱灯とを繰り返すように、供給ポンプ２５及び空気供給部３０を制御する構成であってもよい。
この場合には、［室温］−［設定温度］が第五の温度差閾値（例えば、１（℃））以上、第七の温度差閾値（例えば、２（℃）未満）である場合には、制御部７０は、燃焼火力が１灯となるように（弱灯とはならないように）、供給ポンプ２５及び空気供給部３０を制御する。
【００４９】
＜第一の動作例＞
次に、暖房装置１の第一の動作例について、図４を参照して説明する（適宜図２参照）。時刻ｔ１において、利用者が運転操作部５１を「入」に操作すると、制御部７０は、初期設定としてセーブ運転モードを選択し、供給ポンプ２５、空気供給部３０及びヒータ４０を駆動させ、所定時間の間、燃焼火力を３灯とする（予備燃焼）。続いて、所定時間経過した時刻ｔ２において、制御部７０は、本燃焼を開始する。制御部７０は、設定温度と室温との差に基づいて、供給ポンプ２５及び空気供給部３０を制御する。本燃焼の間、室温は上昇し、時刻ｔ３において設定温度に達する。
【００５０】
続いて、室温がさらに上昇し、時刻ｔ４において１灯の条件を満たすと、制御部７０は、１灯を所定時間（例えば１０分間）→弱灯を所定時間（例えば１０分間）→…というように、１灯と弱灯とを交互に繰り返すように供給ポンプ２５及び空気供給部３０を制御する。
【００５１】
続いて、時刻ｔ５において、室温が［設定温度］＋３（℃）に達すると、制御部７０は、供給ポンプ２５、空気供給部３０及びヒータ４０を停止させ、一時消火する。
【００５２】
一時消火の間、室温は下降し、続いて、時刻ｔ１３において［設定温度］まで下がると、制御部７０は、供給ポンプ２５、空気供給部３０及びヒータ４０を駆動させ、本燃焼を再開する。本燃焼の再開後、時刻ｔ１４において室温が１灯の条件を満たすと、制御部７０は、１灯と弱灯とを交互に繰り返すように供給ポンプ２５及び空気供給部３０を制御する。
【００５３】
続いて、時刻ｔ１５において、室温が［設定温度］＋３（℃）に達すると、制御部７０は、供給ポンプ２５、空気供給部３０及びヒータ４０を停止させ、一時消火する。このように、制御部７０は、本燃焼と一時消火とを繰り返す。
【００５４】
本発明の実施形態に係る暖房装置１は、１灯〜６灯のいずれか（本動作例では１灯）と弱灯とを繰り返す制御を有するので、より小さい燃焼火力での運転が可能である。
また、暖房装置１は、弱灯運転によって一時消火に達するまでの時間を延長することができるので、ユーザに寒さを感じさせることを抑制することができる。
また、暖房装置１は、弱灯運転によって一時消火に達するまでの時間を延長することができるので、運転全体における一時消火の回数を減らし、部品の寿命を延ばすことができる。
【００５５】
＜弱灯禁止制御＞
次に、暖房装置１における弱灯の禁止制御について説明する。前記したように弱灯は不安定であるため、制御部７０は、以下に示す弱灯禁止条件の少なくとも一つが満たされた場合に、弱灯を禁止する。
【００５６】
１．ポットバーナー温度が所定温度（例えば、２２０（℃））以下
本燃焼中のポットバーナー温度は、通常３００℃程度である。かかるポットバーナー温度は、弱灯運転が繰り返されると徐々に低下する。そのため、ポットバーナー温度が所定温度（２２０（℃））以下となった場合には、弱灯における燃焼が不安定になりやすいため、制御部７０は、以降の弱灯を禁止する。
【００５７】
また、制御部７０は、ポットバーナー温度が所定温度以下となることが所定回数（１回以上、例えば３回）連続した場合に、以降の弱灯を禁止する構成であってもよい。ここで、制御部７０は、１灯と弱灯との繰り返し運転の実行中において、弱灯から１灯への切り替えのタイミング（弱灯の終了時点すなわち１灯の開始時点）ごとに、ポットバーナー温度が所定温度以下であるか否かを判定する。そして、制御部７０は、ポットバーナー温度が所定温度以下となることが所定回数（１回以上、例えば３回）連続した場合に、以降の弱灯を禁止する。
【００５８】
２．フレームロッド電圧が所定電圧（例えば、３（Ｖ））以下
本燃焼中のフレームロッド電圧は、通常４（Ｖ）程度である。かかるフレームロッド電圧は、弱灯運転が繰り返されると徐々に低下する。そのため、フレームロッド電圧が３（Ｖ）以下となった場合には、弱灯における燃焼が不安定になりやすいため、制御部７０は、以降の弱灯を禁止する。
【００５９】
また、制御部７０は、フレームロッド電圧が所定電圧以下となることが所定回数（１回以上、例えば３回）連続した場合に、以降の弱灯を禁止する構成であってもよい。ここで、制御部７０は、１灯と弱灯との繰り返し運転の実行中において、弱灯から１灯への切り替えのタイミング（弱灯の終了時点すなわち１灯の開始時点）ごとに、フレームロッド電圧が所定電圧以下であるか否かを判定する。そして、制御部７０は、フレームロッド電圧が所定電圧以下となることが所定回数（１回以上、例えば３回）連続した場合に、以降の弱灯を禁止する。
【００６０】
なお、制御部７０は、フレームロッド６３の電流が所定電流以下となった場合に、以降の弱灯を禁止する構成であってもよい。また、制御部７０は、フレームロッド６３の電流が所定電流以下となることが所定回数（１回以上、例えば３回）連続した場合に、以降の弱灯を禁止する構成であってもよい。ここで、制御部７０は、１灯と弱灯との繰り返し運転の実行中において、弱灯から１灯への切り替えのタイミング（弱灯の終了時点すなわち１灯の開始時点）ごとに、フレームロッド６３の電流が所定電流以下であるか否かを判定する。そして、制御部７０は、フレームロッド６３の電流が所定電流以下となることが所定回数（１回以上、例えば３回）連続した場合に、以降の弱灯を禁止する。
【００６１】
３．ＣＯ２濃度が所定濃度（例えば、０．５（％））以上
空気のＣＯ２濃度は、通常０．０４（％）程度である。ＣＯ２濃度が０．５（％）以上となった場合には、弱灯における燃焼が不安定になりやすいため、制御部７０は、以降の弱灯を禁止する。なお、制御部７０は、ＣＯ２濃度が１．５（％）以上となった場合に、供給ポンプ２５、空気供給部３０及びヒータ４０を停止させ、暖房装置１の運転を中止する。
【００６２】
なお、制御部７０は、前記した弱灯禁止条件のうちの２つ又は３つ全てが満たされた場合に、弱灯を禁止する構成であってもよい。
【００６３】
＜第二の動作例＞
次に、暖房装置１の第二の動作例について、図５〜７を参照して説明する（適宜図２参照）。第二の動作例は、第一の動作例に弱灯禁止制御を組み合わせたものである。第二の動作例の初期条件として、弱灯運転は、禁止されていない。
【００６４】
図５に示すように、利用者が運転操作部５１を「入」に操作すると、制御部７０は、初期設定としてセーブ運転モードを選択し、供給ポンプ２５、空気供給部３０及びヒータ４０を駆動させ、所定時間の間、燃焼火力を３灯とする（予備燃焼、ステップＳ１）。続いて、所定時間経過すると、制御部７０は、本燃焼を開始する（ステップＳ２）。
【００６５】
ここで、運転操作部５１が「入」の状態であり（ステップＳ３でＮｏ）、かつ、ＣＯ２濃度検出部６４によって検出されたＣＯ２濃度が０．５（％）以上である場合（ステップＳ４でＹｅｓ）には、制御部７０は、弱灯運転を禁止する（ステップＳ５）。
【００６６】
ＣＯ２濃度が０．５（％）未満である場合（ステップＳ４でＮｏ）、及び、ステップＳ５の実行後において、制御部７０は、設定温度操作部５４において設定された設定温度及び室温検出部６１によって検出された室温に基づいて、燃焼火力を選択する（ステップＳ６）。
【００６７】
ステップＳ６において２灯〜６灯のいずれかが選択された場合には、制御部７０は、選択された火力に応じて、供給ポンプ２５の駆動周波数及び空気供給部３０の回転速度をセットする（ステップＳ７）。
【００６８】
ステップＳ６において１灯が選択された場合において、図６に示すように、直前の運転が弱灯運転ではない場合（ステップＳ８でＮｏ）には、制御部７０は、１灯運転を行うように、供給ポンプ２５の駆動周波数及び空気供給部３０の回転速度をセットする（ステップＳ９）。
【００６９】
続いて、１灯運転の連続時間が１０分に満たない場合（ステップＳ１０でＮｏ）には、本フローは、ステップＳ３へ戻る。
【００７０】
一方、１灯運転が１０分間経過した場合（ステップＳ１０でＹｅｓ）において、弱灯運転が禁止されている場合（ステップＳ１１でＹｅｓ）には、本フローは、ステップＳ３へ戻る。
【００７１】
また、１灯運転が１０分間経過し（ステップＳ１０でＹｅｓ）、かつ、弱灯運転が禁止されていない場合（ステップＳ１１でＮｏ）には、制御部７０は、弱灯運転を行うように、供給ポンプ２５の駆動周波数及び空気供給部３０の回転速度をセットする（ステップＳ１２）。
【００７２】
一方、ステップＳ６において１灯が選択された場合において、直前の運転が弱灯運転である場合（ステップＳ８でＹｅｓ）には、制御部７０は、弱灯運転を行うように、供給ポンプ２５の駆動周波数及び空気供給部３０の回転速度をセットする（ステップＳ１３）。
【００７３】
続いて、弱灯運転の連続時間が１０分に満たない場合（ステップＳ１４でＮｏ）には、本フローは、ステップＳ３へ戻る。
【００７４】
一方、弱灯運転が１０分間経過した場合には、制御部７０は、１灯運転を行うように、供給ポンプ２５の駆動周波数及び空気供給部３０の回転速度をセットする（ステップＳ１５）。
【００７５】
ステップＳ１５の実行後、図７に示すように、ポットバーナー温度検出部６２によって検出されたポットバーナー温度が２２０（℃）以下であることが３回連続した場合（ステップＳ１６でＹｅｓ、かつ、ステップＳ１７でＹｅｓ）には、制御部７０は、弱灯運転を禁止する（ステップＳ２０）。
【００７６】
また、ステップＳ１５の実行後、ポットバーナー温度が２２０（℃）よりも大きい場合（ステップＳ１６でＮｏ）、及び、ポットバーナー温度が２２０（℃）以下であることの連続回数が３回未満である場合（ステップＳ１６でＹｅｓ、かつ、ステップＳ１７でＮｏ）において、フレームロッド電圧が３（Ｖ）以下であることが３回連続した場合（ステップＳ１８でＹｅｓ、かつ、ステップＳ１９でＹｅｓ）には、制御部７０は、弱灯運転を禁止する（ステップＳ２０）。
【００７７】
一方、フレームロッド電圧が３（Ｖ）よりも大きい場合（ステップＳ１８でＮｏ）、及び、フレームロッド電圧が３（Ｖ）よりも大きいことの連続回数が３回未満である場合（ステップＳ１８でＹｅｓ、かつ、ステップＳ１９でＮｏ）には、本フローは、ステップＳ３へ戻る。同様に、ステップＳ２０の実行後にも、本フローは、ステップＳ３へ戻る。
【００７８】
一方、図５に示すように、ステップＳ６において一時消火が選択された場合には、制御部７０は、供給ポンプ２５を停止させるとともに、空気供給部３０の回転速度を冷却用回転速度にセットする（ステップＳ２１）。なお、制御部７０は、ヒータ４０を停止させるとともに、冷却用回転速度にセットされた空気供給部３０を、１０分連続後に停止させる。
【００７９】
なお、一時消火が選択された状態においてステップＳ６を実行する場合には、制御部７０は、［室温］−［設定温度］が０（℃）以下となった場合に再点火するように、供給ポンプ２５、空気供給部３０及びヒータ４０を制御する。
【００８０】
また、利用者が運転操作部５１を「切」に操作すると（ステップＳ３でＹｅｓ）、制御部７０は、弱灯運転禁止を解除する（ステップＳ２２）。換言すると、弱灯運転が一度禁止された場合には、かかる禁止設定は、暖房装置１が停止するまで（運転操作部５１が「切」に操作されるまで）継続される。続いて、制御部７０は、供給ポンプ２５を停止させるとともに、空気供給部３０の回転速度を冷却用回転速度にセットする（ステップＳ２３）。なお、制御部７０は、ヒータ４０を停止させるとともに、冷却用回転速度にセットされた空気供給部３０を、１０分連続後に停止させる。
【００８１】
第二の動作例において、ステップＳ１６〜Ｓ２０における弱灯運転禁止判定は、ステップＳ１５の実行後、すなわち、１灯運転及び弱灯運転を１回ずつ行った２回目以降の１灯運転において実行される。そして、弱灯運転が禁止された場合には、制御部７０は、それ以降に１灯運転が選択されたとしても弱灯運転を行わない。
【００８２】
本発明の実施形態に係る暖房装置１は、所定条件に基づいて弱灯運転を禁止するので、燃焼火力が不安定な場合等において弱灯運転を禁止し、安定的な運転を行うことができる。
【００８３】
＜弱灯運転時間の変更制御＞
次に、弱灯運転時間の変更制御について、図２を参照して説明する。
【００８４】
１灯運転と弱灯運転とを繰り返す制御の実行中において、制御部７０は、１灯運転の実行中（例えば、１灯運転の終了時点）に検出されたポットバーナー温度が小さいほど、次の弱灯運転の継続時間が短くなるように、弱灯運転の継続時間を設定する。かかる制御は、ポットバーナー温度が前記した温度閾値よりも大きい範囲内で実行される。また、弱投運転の継続時間の最大値は、例えば前記した１０分間とすることができる。
【００８５】
また、１灯運転と弱灯運転とを繰り返す制御の実行中において、制御部７０は、１灯運転の実行中（例えば、１灯運転の終了時点）に検出されたフレームロッド電圧が小さいほど、次の弱灯運転の継続時間が短くなるように、弱灯運転の継続時間を設定する。かかる制御は、フレームロッド電圧が前記した電圧閾値よりも大きい範囲内で実行される。また、弱投運転の継続時間の最大値は、例えば前記した１０分間とすることができる。
【００８６】
本発明の実施形態に係る暖房装置１は、燃焼火力が不安定な場合には弱灯運転の継続時間を短くするので、安定的な運転を行うことができる。
【００８７】
以上、本発明の実施形態について説明したが、本発明は前記実施形態に限定されず、本発明の要旨を逸脱しない範囲で適宜変更可能である。例えば、第二の動作例において、ステップＳ１６〜Ｓ２０は、ステップＳ９とステップＳ１０の間、ステップＳ１２とステップＳ３との間、又は、ステップＳ１３とステップＳ１４との間に実行されてもよい。すなわち、制御部７０は、弱灯運転禁止判定のためのポットバーナー温度、フレームロッド６３の電流及びフレームロッド電圧とそれぞれの所定値との比較は、１灯（又は２灯〜６灯運転）と弱灯との繰り返し運転の実行中の任意のタイミングで実行可能である。
【００８８】
また、図３に示す例では、制御部７０は、［室温］−［設定温度］が１灯に該当する場合には即、１灯と弱灯とを交互に繰り返すが、１灯と弱灯との繰り返し運転の開始判定手法は、これに限定されない。例えば、制御部７０は、［室温］−［設定温度］が１灯に該当する場合には、１灯運転を行い、１灯運転の実行中に室温が上昇した場合に、１灯と弱灯との繰り返し運転を行う構成であってもよい。この場合において、制御部７０は、前記した一時消火に移行せずに、室温が一定となった場合又は低下した場合に、１灯運転に戻る構成であってもよい。
【符号の説明】
【００８９】
１      暖房装置
１１    ポットバーナー
２５    供給ポンプ
３０    空気供給部
４０    ヒータ
６１    室温検出部
６２    ポットバーナー温度検出部
６３    フレームロッド
６４    ＣＯ２濃度検出部
７０    制御部
【図１】
0006633976.tif 000002
【図２】
0006633976.tif 000003
【図３】
0006633976.tif 000004
【図４】
0006633976.tif 000005
【図５】
0006633976.tif 000006
【図６】
0006633976.tif 000007
【図７】
0006633976.tif 000008